(57)【要約】【課題】セミ・オーダーのレンタルしたドレスを着用するにあたり、着用するドレスには一切加工を加えず、着用者の体型を補整することによりを目的とするドレス着用時の体型を補整する補整用パットを開示・提供するものである。【解決手段】上半身部は、肩紐を設けず、バスト上部の肌を露出させるデザインの上着部（１ａ）と、下半身部にはパニエ（２）を装着するスカート部（１ｂ）からなり、これら上着部（１ａ）とスカート部（１ｂ）が一体に構成されているドレス（１）において、該ドレス（１）の背面部であって、ドレス内部に着用するインナー（３）と、前記ドレスに装着するパニエ（２）との間に、弾力性を有するパット部材（４）を着脱可能に装着することを特徴とするドレス着用時の体型を補整する補整用パット。【選択図】  図２
0003228279.tif 000002
【実用新案登録請求の範囲】
【請求項１】
上半身部は、肩紐を設けず、バスト上部の肌を露出させるデザインの上着部（１ａ）と、下半身部にはパニエ（２）を装着するスカート部（１ｂ）からなり、
これら上着部（１ａ）とスカート部（１ｂ）が一体に構成されているドレス（１）において、
該ドレス（１）の背面部であって、ドレス内部に着用するインナー（３）と、前記ドレスに装着するパニエ（２）との間に、
弾力性を有するパット部材（４）を着脱可能に装着する
ことを特徴とするドレス着用時の体型を補整する補整用パット。
【請求項２】
前記パット部材（４）は、着用者の背骨に沿ってウエスト位置（Ｗ）からヒップ位置（Ｈ）の間に設ける
ことを特徴とする請求項１記載のドレス着用時の体型を補整する補整用パット。
【請求項３】
前記パット部材（４）は、逆三角形状で適宜の厚みと弾力性を有するパット本体（４ａ）と腰ひも状の固定部（４ｂ）から構成され、
該固定部（４ｂ）はパット本体（４ａ）の上面付近に設けた
ことを特徴とする請求項１または２記載のドレス着用時の体型を補整する補整用パット。
【考案の詳細な説明】
【技術分野】
【０００１】
この考案は、ドレス着用時の体型を補整する補整用パットに関するものであり、特に、ウエディングドレスを着用する際、予めドレス着用者の体型を補整し、万全の体型で着用できるよう補整する補整用パットである。
【背景技術】
【０００２】
近年、結婚式で着用するウエディングドレスやパーティードレスは、オーダーするよりもレンタルする方が合理的であり、レンタルするドレスにおいても、サイズが少しずつ異なるセミオーダー〈（semi-custom made）予め決まったパターンの中から要望に沿うよう選んでいく方式〉のドレスが多数着用意されており、着用者は自分自身の気に入ったデザインのドレスであって、しかも体型に合ったサイズからドレスを選択して着用する。
【０００３】
しかし、人気のウエディングドレスは、メーカーによってサイズが合わなかったり、先に貸し出されている場合もあり、多少大きめサイズのドレスであっても余儀なく借用する場合もあり、ブライダルのドレス担当者は、ドレスがずり落ちることによりドレス内部に着用したインナーが露出したり、ドレスの乱れに対する防止対策に苦慮している。
【０００４】
これらを解決する手段として、以下３件の技術が開示されている。
【０００５】
先ず、ドレスがずり落ちてインナーが露出しないよう配慮する手段の一例としては、ドレスのバスト部上面脇部でインナーと着用者の肌との間に帯板状の防止具を挟んでドレスがずれ落ちることを防止する目的のずれ落ち防止用具が開示されている。例えば、特許文献１のように。
【０００６】
次に、ドレスのバスト部の上部内面に結び紐を縫着して設け、ドレスを着用後、ドレス背部でループ状に縛り、ドレスがずり落ちないよう構成されたウエディングドレスが開示されている。例えば、特許文献２のように。
【０００７】
さらに、ドレスの上半身部内側に固定して、バスト下からウエスト下に達する前胴部と、から着用者の背部で係止する後胴部とからなり、これら前・後胴部にボーンを配設し、前胴部中心部及び左右脇腹部の内側に面状の滑り止め部材を設けたドレス用ずれ防止部材が開示されている。例えば、特許文献３のように。
【０００８】
しかし、上記の特許文献１の構成では、ドレスのずれ落ち防止をする好適な手段とはなり難い。即ち、前記用具では、ドレスの活用状況ドレスの下半身部は、床まで到達する裾丈の長いスカートに形成しており、宴会場の床面は絨毯敷が多く、着用者が控室から式場内へ、式場から宴会場へ、さらに宴会場内を移動する際、スカートの裾が床面と接触することにより摩擦係数が高く相当の負荷が生じるものであり、安全ピンでは負荷に耐えられず、該安全ピンによりレンタルドレスを破損し兼ねない。
【０００９】
また、上記の特許文献２の構成では、ウエディングドレスの上部開口部の上部内面に結び紐を複数個所縫着して着用するドレスであり、ドレス上部が浮き上がりや降下は防止できると思われるが、レンタルしたドレスに結び紐や面ファスナーを縫着したり、該結び紐でドレス背面でループ式のドレス開閉手段でないと応用できない止め手段のウエディングドレスである。
【００１０】
さらに、上記特許文献３の構成では作業を、ドレスの上半身部内側に固定して用いられるドレス用ずれ防止部材であり、ドレスと防止部材とは縫着によって固定されている。従って前記特許文献２と同様にレンタルしたドレスに防止部材を逢着したり、着用した後は、ドレスに残る縫着痕をアイロン等で消したりする取り外す作業等は極めて煩雑である。
【先行技術文献】
【特許文献】
【００１１】
【特許文献１】実用新案登録第３１９５６１４号公報
【特許文献２】実用新案登録第３１４７８１６号公報
【特許文献３】実用新案登録第３１７８７３８号公報
【００１２】
しかしながら、そもそもドレスとは、女性用衣服の一種であり、上半身から下半身の脚部までを単一の衣装によって装う、所謂、ワンピースの形態となっており、さらにドレス生地の素材においては、伸縮性を有する生地はほぼ使用されていないのが実情である。
【００１３】
このようにドレスは、スーツと異なり前述のように上衣（上着部）と下衣（スカート部）は一体に構成されており、着用者の体型は様々であって下半身はスカート部と適合するが、上半身は上着部のバストを覆う部位と、着用者のバストが適合せず、上着部とバストとの間に隙間が生じてしまう体型もある。
【００１４】
ウエディングドレスがドレスタイプでなく、仮に、スーツタイプがあれば、下衣のスカート部は体型そのままのサイズを選択し、上衣の上着部は、ワンサイズ小さいサイズの上着部を選択することにより問題なく、極めて迅速に解決できる。
【００１５】
しかし現実には、肩紐もなくドレスのバスト部上部が解放され肌が見えるスタイルのドレスがあり、この種のドレスは他のウエディングドレスより、さらに一段と見栄えがし華やかなドレスがあるが、その着付けは極めて煩雑である。
【００１６】
上記ウエディングドレスにもセミオーダーのレンタルドレスがあり、着用者の体型に近いサイズのドレスを選択して着用させるが、前述のようにドレスは上下一体型のワンピースであり、元々、ドレスの形状及びサイズと、着用者の体型とがなかなか適合せず、ジャストフィットさせることは困難であった。
【００１７】
その原因は、ドレスとドレス着用者の体型、特に、背面部のウエスト位置とヒップ位置との間の部分に差異が生じ、ドレスとフィットしてない事例が多いことを発見した。
【００１８】
本願考案者は、和・洋を問わずブライダル産業に長年渡り携わって来ており、ドレス着用者の体型を背面部の適宜な位置に簡単な部材を用いて補整して、ドレスを着用すれば美的観点からも素晴らしく整った体型でドレスを着用できる補整用パットを考案した。
【考案の概要】
【考案が解決しようとする課題】
【００１９】
そこで、解決しようとする課題は、セミ・オーダーのレンタルしたドレスを着用するにあたり、着用するドレスには一切加工を加えず、着用者の体型を補整することによりを目的とするドレス着用時の体型を補整する補整用パットを開示・提供するものである。
【課題を解決するための手段】
【００２０】
この考案のドレス着用時の体型を補整する補整用パットは、上半身部は、肩紐を設けず、バスト上部の肌を露出させるデザインの上着部と、下半身部にはパニエを装着するスカート部からなり、これら上着部とスカート部が一体に構成されているドレスにおいて、該ドレスの背面部であって、ドレス内部に着用するインナーと、前記ドレスに装着するパニエとの間に、弾力性を有するパット部材を着脱可能に装着することを特徴とする。
【００２１】
次に、前パット部材は、着用者の背骨に沿ってウエスト位置からヒップ位置の間に設けることを特徴とする。
【００２２】
さらに、前記パット部材は、逆三角形状で適宜の厚みと弾力性を有するパット本体と腰ひも状の固定部から構成され、該固定部はパット本体の上面付近に設けたことを特徴とする。
【考案の効果】
【００２３】
この考案によると、着用者の背面部でウエスト位置とヒップ位置の間にパット部材を介在して装着することにより、着用者の背面部の体型が補整される結果、着用者の背面部とドレスとが密接状態となり万全の体型で着用できるとの効果を奏する。
【００２４】
また、パット部材は、ドレスに縫い付けたりすることは一切なく、着用者の身体に縛って装着するため、ドレス着用後には迅速簡単に取り外すことが出来る。
【００２５】
さらには、この考案はドレスの内側にドレスずれ防止部材を縫着する必要がなく、従って、着用を終えた後に、ドレスに残る縫着した針痕をアイロン等で消したりする必要もなく極めて省力的である。
【図面の簡単な説明】
【００２６】
【図１】この考案であるパット部材の一実施例を示し、（Ａ）は、一部を切り欠いた平面図であり、（Ｂ）は、一部を切り欠いた正面図であり、（Ｃ）は、図１（Ｂ）中Ｉ―Ｉの拡大右側面図であり、一部を切り欠いている。
【図２】この考案であるパット部材の装着状態を示す一部を切り欠いた背面図である。
【図３】この考案であるパット部材の装着状態を示す一部を切り欠いた側面図である。
【図４】この考案であるパット部材の装着状態を示す一部を切り欠いた正面図である。
【考案を実施するための形態】
【００２７】
以下、この考案について詳細に説明する。なお、この考案においては、以下の記述に限定されるものではなく、この考案の要旨を逸脱しない範囲においては適宜変更可能である。
【実施例】
【００２８】
次に、この考案の一実施例を図面に従って詳細に説明すると、上半身部には、肩紐を設けず、バスト上部の肌を露出させるデザインの上着部（１ａ）と下半身部にはパニエ（２）を装着するスカート部（１ｂ）からなり、これら上着部（１ａ）とスカート部（１ｂ）が一体に構成されているドレス（１）において、該ドレス（１）の背面部であって、ドレス内部に着用するインナー（３）と、前記ドレスに装着するパニエ（２）との間に、弾力性を有するパット部材（４）を着脱可能に装着することを特徴とするドレス着用時の体型を補整する補整用パットから構成されるものである。
【００２９】
前記パニエ（２）とは、下着、ファンデーションの一種でドレスのスカートを美しい形に広がらせるため、その下に着用したアンダースカートとしてウエディングドレスのスカート部分を膨らませる用途で用いられるものである。
【００３０】
また、インナー（３）とはファンデーションともいい、ドレス内に着用する下着のことである。
【００３１】
前記パット部材（４）は、着用者の体型に応じて背骨に沿ってウエスト位置（Ｗ）からヒップ位置（Ｈ）の範囲内で装着し、体型を補整するものである。
【００３２】
この考案で使用するウェティングドレスやパーティードレス等のドレス（１）は、セミ・オーダーしたドレスやセミ・レンタルしたドレスをいい、元々着用者の体型にジャストフィットするオーダードレスは、対象外としている。
【００３３】
前記パット部材（４）の構成は、図１に示すように、パット本体（４ａ）と固定部（４ｂ）からなり、パット本体（４ａ）の上部両端辺にそれぞれ固定部（４ｂ）を設けたことを特徴とするドレス着用時の体型を補整する補整用パットである。
【００３４】
そして、パット部材（４）を構成するパット本体（４ａ）の一実施例を述べると、逆三角形状で適宜の厚みと弾力性を有するもので、該パット部材（４）は、着用者の背面部内に収まる横幅寸法（２０センチ程度）が好ましく、正面部からはパット本体（４ａ）が見えないことが望ましい。
【００３５】
さらに、パット部材（４）を構成する固定部（４ｂ）の一実施例を述べると、扁平な腰ひも状の紐体であり、パット本体（４ａ）の両端上部にそれぞれ縫着されており、帯状の紐体の両端で着用者の身体前部で縛り付けるよう構成している。
【００３６】
前記パット本体（４ａ）の素材は、例えば、表面がポリエステル等の合成樹脂製のシート材を用い、内部にはクッション性を有する綿材を充填するよう構成したものである。
【００３７】
そして、図２及び図３に示すように、パット部材（４）を、着用者の身体とパニエ（２）との間に装着すると、ドレス（１）の上着部（１ａ）及びスカート部（１ｂ）は、パット本体（４ａ）の膨らみによって着用者の体型は補整されるし、且つパニエ（２）によってドレス（１）のスカート部（１ｂ）の上部位置が盛り上がった状態となりドレス全体が見た目に、より美しく見える。
【００３８】
次に、パット部材（４）を構成する固定部（４ｂ）の一実施例を述べると、腰ひも状の紐体が固定部（４ｂ）の素材としては最適であるが、ドレス（１）の正面から見て、ドレス（１）とパニエ（２）を通して紐体の結び目が透けて見えたり、結び目が突起する場合がある。
【００３９】
そのような場合には図示はしないが、扁平なゴムベルトをパット本体（４ａ）の両端に設けて使用し、両ゴムベルトの先端部付近に面テープを設けて着脱自在に一時固定するよう構成するものであってもよい。
【００４０】
以上のように、着用者に、ドレスに合うようパット部材で体型を補整してからドレスを着用することにより、ジャストフィットしたドレス姿となり、ドレスがずり下がり、ドレス内部に着用した下着がドレスより露出することはない。
【産業上の利用可能性】
【００４１】
この考案のドレス着用時の体型を補整する補整用パットの技術を確立し、実施することにより産業上の利用可能性を有する。
【符号の説明】
【００４２】
１    ドレス
１ａ  上着部
１ｂ  スカート部
２    パニエ
３    インナー
４    パット部材
４ａ  パット本体
４ｂ  固定部
Ｈ    ヒップ位置
Ｗ    ウエスト位置
【図１】
0003228279.tif 000003
【図２】
0003228279.tif 000004
【図３】
0003228279.tif 000005
【図４】
0003228279.tif 000006